(57)【要約】【課題】券面の確認に加えて新たな判断材料を提供することにより、運転免許証や在留カード等のＩＣメモリを有するＩＤカードの偽造をより確実に且つより迅速に偽造を判別する。【解決手段】ＩＣチップ１００ｂを内蔵したＩＤカード１００の正当性を確認するシステムであって、ＩＤカード１００のＩＣチップ１００ｂに記録される当該ＩＤカード１００の種別を示す識別子であるアプリケーションＩＤと、当該ＩＤカード１００の種別に関する情報とを関連付けて記憶するカード情報データ２４ｂと、ＩＣチップ１００ｂに記録された当該ＩＤカードの種別を示すアプリケーションＩＤを読み出す読取装置１と、読取装置１が読み出したアプリケーションＩＤに基づいて、カード情報データ２４ｂを参照し、当該ＩＤカードの種別を検索する情報検索部２５ｂと、読取装置１による読み出し結果、又は情報検索部２５ｂによる検索結果を出力する表示部２２ａとを備える。【選択図】  図１
2018151957.tif 000002
【特許請求の範囲】
【請求項１】
メモリチップを内蔵したＩＤカードの正当性を確認するＩＤカード確認システムであって、
ＩＤカードのメモリチップに記録される当該ＩＤカードの種別を示す識別子であるアプリケーションＩＤと、当該ＩＤカードの種別に関する情報とを関連付けて記憶するカード情報蓄積手段と、
前記メモリチップに記録された当該ＩＤカードの種別を示すアプリケーションＩＤを読み出す情報読出手段と、
情報読出手段が読み出したアプリケーションＩＤに基づいて、前記カード情報蓄積手段を参照し、当該ＩＤカードの種別を検索する検索手段と、
前記情報読出手段による読み出し結果、又は前記検索手段による検索結果を出力する出力手段と
を備えたことを特徴とするＩＤカード確認システム。
【請求項２】
前記情報読出手段は、前記ＩＤカードのメモリチップに記録された画像情報を読み出し、
前記出力手段は、前記読み出された前記画像情報を表示出力する
ことを特徴とする請求項１に記載のＩＤカード確認システム。
【請求項３】
前記ＩＤカードの表面を撮影する撮影手段をさらに備え、
前記出力手段は、前記読み出された前記画像情報と、前記撮影手段が撮影した画像とを対比可能に表示出力する機能を有する
ことを特徴とする請求項２に記載のＩＤカード確認システム。
【請求項４】
前記ＩＤカードの表面を撮影する撮影手段と、
前記ＩＤカードに関する情報を記録する記録手段と、
前記撮影手段が撮影した画像を解析し、撮影された画像から前記ＩＤカードに関する情報を抽出する画像解析手段と
をさらに備え、
前記記録手段に記録される前記ＩＤカードに関する情報には、前記画像解析手段によって抽出された情報が含まれる
ことを特徴とする請求項１に記載のＩＤカード確認システム。
【請求項５】
メモリチップを内蔵したＩＤカードの正当性を確認する認証プログラムであって、コンピューターを、
ＩＤカードのメモリチップに記録される当該ＩＤカードの種別を示す識別子であるアプリケーションＩＤと、当該ＩＤカードの種別に関する情報とを関連付けて記憶するカード情報蓄積手段と、
前記メモリチップに記録された当該ＩＤカードの種別を示すアプリケーションＩＤを読み出す情報読出手段と、
情報読出手段が読み出したアプリケーションＩＤに基づいて、前記カード情報蓄積手段を参照し、当該ＩＤカードの種別を検索する検索部と、
前記情報読出手段による読み出し結果、又は前記検索部による検索結果を出力する出力手段として
機能させることを特徴とするＩＤカード確認プログラム。
【請求項６】
メモリチップを内蔵したＩＤカードの正当性を確認する認証方法であって、
ＩＤカードのメモリチップに記録される当該ＩＤカードの種別を示す識別子であるアプリケーションＩＤと、当該ＩＤカードの種別に関する情報とを関連付けてカード情報蓄積手段に記憶するステップと、
前記メモリチップに記録された当該ＩＤカードの種別を示すアプリケーションＩＤを情報読出手段が読み出すステップと、
情報読出手段が読み出したアプリケーションＩＤに基づいて、検索部が、前記カード情報蓄積手段を参照し、当該ＩＤカードの種別を検索するステップと、
前記情報読出手段による読み出し結果、又は前記検索部による検索結果を出力手段が出力するステップと
を含むことを特徴とするＩＤカード確認方法。
【発明の詳細な説明】
【技術分野】
【０００１】
本発明は、例えば、免許証や外国人登録証などメモリチップを内蔵したＩＤカードの正当性を確認するＩＤカード確認システム、ＩＤカード確認プログラム及びＩＤカード確認方法に関する。
【背景技術】
【０００２】
近年、社会問題となっている振り込め詐欺等の犯罪において、プリペイド式携帯電話を始めとする携帯電話等が利用されるケースが多くなってきている。現在、契約・譲渡時の本人確認を強化し、携帯電話等の匿名性の排除を徹底させ、犯罪に携帯電話等が悪用されるのを防ぐために、「携帯電話不正利用防止法」（携帯音声通信事業者による契約者等の本人確認等及び携帯音声通話役務の不正な利用 の防止に関する法律）により、携帯電話・PHS事業者は、携帯電話やPHSの契約時及び譲渡時等に、契約者の本人確認が義務付けられている。具体的にこの「携帯電話不正利用防止法」では、携帯電話等事業者及び販売店が契約締結時及び譲渡時等に本人確認を行うこと、本人確認記録を作成し保存すること等が義務付けられ、契約の際に、本人確認のできる証明書類として、運転免許証や在留カードを用いてよいとされている。
【０００３】
運転免許証や在留カードはＩＣメモリを有するＩＤカードであるが、外観的には券面を貼り替えるなどの偽造が可能である。このような偽造を防止するための技術として、特許文献１に示されているような、ＩＣカード内に記録された電子データと券面データとを比較する技術が知られている。この特許文献１に開示された技術では、ＩＣカードの券面に表示された画像を読みとり、ＩＣメモリ内の記憶情報と比較している。
【先行技術文献】
【特許文献】
【０００４】
【特許文献１】特開２００３−２４２４５５号公報
【発明の概要】
【発明が解決しようとする課題】
【０００５】
しかしながら、特許文献１に開示された技術では、ＩＣカードの券面に表示された画像と、ＩＣメモリ内の記憶情報との比較を、販売店等のクルーが目視により行うことから、一定の限界があるとともに、券面の比較のみでは偽造を判別しきれないケースもあり、その確認作業に要する時間により作業効率が低下する場合もあった。また、ＩＣカードの種別によっては、ＩＣメモリ内に記録された情報にアクセスするためにパスワードの入力が必要なものもあり、パスワードを忘れてしまった等の理由でパスワードの提示がされない場合には、その確認もできないという問題もある。
【０００６】
そこで、本発明は、上記のような問題を解決するものであり、券面の確認に加えて新たな判断材料を提供することにより、運転免許証や在留カード等のＩＣメモリを有するＩＤカードの偽造をより確実に且つより迅速に偽造を判別することができるＩＤカード確認システム、ＩＤカード確認プログラム及びＩＤカード確認方法を提供することを目的とする。
【課題を解決するための手段】
【０００７】
上記課題を解決するために、本発明は、メモリチップを内蔵したＩＤカードの正当性を確認する認証システムであって、
ＩＤカードのメモリチップに記録される当該ＩＤカードの種別を示す識別子であるアプリケーションＩＤと、当該ＩＤカードの種別に関する情報とを関連付けて記憶するカード情報蓄積手段と、
前記メモリチップに記録された当該ＩＤカードの種別を示すアプリケーションＩＤを読み出す情報読出手段と、
情報読出手段が読み出したアプリケーションＩＤに基づいて、前記カード情報蓄積手段を参照し、当該ＩＤカードの種別を検索する検索部と、
前記情報読出手段による読み出し結果、又は前記検索部による検索結果を出力する出力手段と
を備えたことを特徴とする。
【０００８】
また、本発明は、メモリチップを内蔵したＩＤカードの正当性を確認する認証方法であって、
ＩＤカードのメモリチップに記録される当該ＩＤカードの種別を示す識別子であるアプリケーションＩＤと、当該ＩＤカードの種別に関する情報とを関連付けてカード情報蓄積手段に記憶するステップと、
前記メモリチップに記録された当該ＩＤカードの種別を示すアプリケーションＩＤを情報読出手段が読み出すステップと、
情報読出手段が読み出したアプリケーションＩＤに基づいて、検索部が、前記カード情報蓄積手段を参照し、当該ＩＤカードの種別を検索するステップと、
前記情報読出手段による読み出し結果、又は前記検索部による検索結果を出力手段が出力するステップと
を含むことを特徴とする。
【０００９】
また、上述した本発明に係るシステムや方法は、所定の言語で記述された本発明の不動産評価プログラムをコンピューター上で実行することにより実現することができる。
【００１０】
すなわち、本発明は、メモリチップを内蔵したＩＤカードの正当性を確認する認証プログラムであって、コンピューターを、
ＩＤカードのメモリチップに記録される当該ＩＤカードの種別を示す識別子であるアプリケーションＩＤと、当該ＩＤカードの種別に関する情報とを関連付けて記憶するカード情報蓄積手段と、
前記メモリチップに記録された当該ＩＤカードの種別を示すアプリケーションＩＤを読み出す情報読出手段と、
情報読出手段が読み出したアプリケーションＩＤに基づいて、前記カード情報蓄積手段を参照し、当該ＩＤカードの種別を検索する検索部と、
前記情報読出手段による読み出し結果、又は前記検索部による検索結果を出力する出力手段として
機能させることを特徴とする。
【００１１】
そして、本発明のプログラムを、携帯端末装置やスマートフォン、ウェアラブル端末、モバイルＰＣその他の情報処理端末、パーソナルコンピュータやサーバーコンピューター等の汎用コンピューターのＩＣチップ、メモリ装置にインストールし、ＣＰＵ上で実行することにより、上述した各機能を有するシステムを構築し、上記方法を実施することができる。また、本発明のプログラムは、例えば、通信回線を通じて配布することが可能であり、また、コンピューターで読み取り可能な記録媒体に記録することにより、スタンドアローンの計算機上で動作するパッケージアプリケーションとして譲渡することができる。
【００１２】
この記録媒体として、具体的には、フレキシブルディスクやカセットテープ等の磁気記録媒体、若しくはＣＤ-ＲＯＭやＤＶＤ-ＲＯＭ等の光ディスクの他、ＲＡＭカードなど、種々の記録媒体に記録することができる。そして、このプログラムを記録したコンピューター読み取り可能な記録媒体によれば、汎用のコンピューターや専用コンピューターを用いて、上述したシステム及び方法を簡便に実施することが可能となるとともに、プログラムの保存、運搬及びインストールを容易に行うことができる。
【００１３】
また、上記発明において前記情報読出手段は、前記ＩＤカードのメモリチップに記録された画像情報を読み出し、前記出力手段は、前記読み出された前記画像情報を表示出力することが好ましい。
【００１４】
上記発明では、前記ＩＤカードの表面を撮影する撮影手段をさらに備え、前記出力手段は、前記読み出された前記画像情報と、前記撮影手段が撮影した画像とを対比可能に表示出力する機能を有することが好ましい。
【００１５】
上記発明では、前記ＩＤカードの表面を撮影する撮影手段と、前記ＩＤカードに関する情報を記録する記録手段と、前記撮影手段が撮影した画像を解析し、撮影された画像から前記ＩＤカードに関する情報を抽出する画像解析手段とをさらに備え、前記記録手段に記録される前記ＩＤカードに関する情報には、前記画像解析手段によって抽出された情報が含まれることが好ましい。
【発明の効果】
【００１６】
以上述べたように、本発明によれば、券面の確認に加えて、アプリケーションＩＤという新たな判断材料を提供することにより、運転免許証や在留カード等のＩＣメモリを有するＩＤカードの偽造を、より確実に且つより迅速に偽造を判別することができ、データ改ざん偽造免許等による架空契約を未然に防ぐことができる。また、法令で義務づけられた本人確認記録の作成・保存作業及びそのチェック作業について、省力化・効率化を図ることができる。
【００１７】
詳述すると、本発明では、ＩＤカードのメモリチップに記録された、当該ＩＤカードの種別を示す識別子であるアプリケーションＩＤを読み出し、カード情報蓄積手段を参照してそのＩＤカードの種別を確認する。このアプリケーションＩＤは、ＩＤカードの製造時にＩＣチップに書き込まれる情報であり、ＩＣカードの種別毎に厳重に管理されて、ＩＣチップの書換ができない領域に記録されていることから改ざんが困難である。そのため、偽造したＩＣカードにＩＣチップが搭載されていない場合にはアプリケーションＩＤが読み込み不可となり、ＩＣチップを搭載していたとしても、その値がnull値となっていたり、違った値が記録されていたりすれば、そのカードが偽造されたものであることを瞬時に判断することができる。
【００１８】
また、上記発明において、ＩＤカードのメモリチップに記録された画像情報を表示したり、実際の券面を撮影した画像とを比較することにより、印面偽造を判別することができる。
【００１９】
さらに、記録手段にＩＤカードに関する情報として、ＩＤカードから読み出したテキストデータや、撮影された画像から抽出されたデータを記録することにより、本人確認記録データを自動的に取り込んで反映させることによって、データ入力作業の省力化を図ることができるとともに、誤入力も防止できる。
【図面の簡単な説明】
【００２０】
【図１】実施形態に係るＩＤカード確認システムの全体構成を示す概念図である。
【図２】実施形態に係るＩＤカード確認システムを構成する読取装置、及び移動端末機の内部構成を示すブロック図である。
【図３】実施形態に係るＩＤカード管理システムを構成する管理サーバーの内部構成を示すブロック図である
【図４】実施形態に係るＩＤカード確認システムの動作を示すフローチャート図である。
【図５】実施形態に係るＩＤカード確認システムを構成する移動端末機の画面を示す説明図である。
【発明を実施するための形態】
【００２１】
（ＩＤカード確認システムの全体構成）
以下に添付図面を参照して、本発明に係るＩＤカード確認システムの実施形態を詳細に説明する。図１は、本実施形態に係るＩＤカード確認システムの全体構成を示す概念図である。
【００２２】
図１に示すように、本実施形態に係るＩＤカード確認システムは、メモリチップを内蔵したＩＤカード１００の正当性を確認するシステムであり、無線通信を含む通信ネットワーク７を通じてデータ通信を行うタブレット端末２を、販売代理店等のショップ９における契約手続用の端末として用い、契約手続における本人確認記録に関する操作を行う。具体的に、本実施形態におけるＩＤカード確認システムは、通信ネットワーク７上に、情報管理サーバー３と、Ｗｉｆｉルーター４と、Ｗｉｆｉルーター４を通じて無線通信が可能なタブレット端末２とを備えている。
【００２３】
通信ネットワーク７は、通信プロトコルＴＣＰ／ＩＰを用いたＩＰ網であって、種々の通信回線（電話回線やＩＳＤＮ回線、ＡＤＳＬ回線、光回線などの公衆回線、専用回線、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、Ｂｌｕｅｔｏｏｔｈ（登録商標）などの無線通信ネットワーク）を相互に接続して構築される分散型の通信ネットワークである。このＩＰ網には、１０ＢＡＳＥ−Ｔや１００ＢＡＳＥ−ＴＸ等によるイントラネット（企業内ネットワーク）や家庭内ネットワークなどのＬＡＮなども含まれる。
【００２４】
情報管理サーバー３は、通信ネットワーク７上に配置され、アプリケーション管理、デバイス管理、ユーザー管理、稼働状況管理、監視・制御管理、設定管理、リモート管理、データ収集管理など、タブレット端末２を遠隔的に、管理・制御するアプリケーションサーバーである。これらの管理機能により、情報管理サーバー３は、各ショップに設置された契約窓口としての役割を果たすタブレット端末２に対して、各種アプリケーションを配布したり、アプリケーションの各種設定や、リモート管理における制御通知、及びタブレット端末２からデータを収集したりする。
【００２５】
ショップ９は、通信事業者の携帯電話を専門に取扱う販売代理店であり、通信端末の新規契約や契約変更、解約、利用中断等の事務手続きや、付属品、オプション品の販売、料金プランの変更、割引サービスの付廃、留守番電話サービス等のネットワークサービスの付廃、携帯電話の故障修理、料金の支払い等の業務を行う。このショップ９では、タブレット端末２が契約用の操作端末機として設置されており、このタブレット端末２には、免許証等の本人確認書類を読み取る読取装置１が接続されている。このショップ９において、販売員ＳＰは、顧客ＣＰとの契約に際し、顧客ＣＰから提示された本人確認書類であるＩＤカード１００を読取装置１に読み取らせることによって、本人確認書類の確認を行う。この読取装置１が読み取った本人確認記録データは、タブレット端末２内に蓄積され、通信ネットワーク７を通じて情報管理サーバー３へ送信される。
【００２６】
Ｗｉｆｉルーター４は、中継装置６を通じて通信ネットワーク７に接続され、タブレット端末２との間で無線通信接続を確立し、タブレット端末２による通話やデータ通信を提供する装置である。各ショップ９内に設置され、タブレット端末２と情報管理サーバー３とを中継している。中継装置６は、通信ネットワーク７に接続するためのモデムやターミナルアダプタ、ゲートウェイ装置等のノード装置であり、通信経路の選択や、データ（信号）の相互変換を行い、Ｗｉｆｉルーター４と、通信ネットワーク７との間における中継処理を行う。
【００２７】
なお、本実施形態におけるＷｉｆｉルーター４は、通信ネットワーク７上において、各移動端末がどのセルに在圏しているのかを管理する位置情報取得部としての機能を果たす。具体的には、タブレット端末２から送信された位置登録の要求に基づいて、当該タブレット端末２の位置を特定する。この位置登録要求は、ユーザーの移動などによって在圏するセルが切り替えられた場合、タブレット端末２から、新たに在圏することになったセルを管理する無線基地局に対して送信され、この位置登録要求とともにフェムトセル基地局に割り当てられている基地局識別情報に基づいて、タブレット端末２の位置を把握することができる。
【００２８】
タブレット端末２は、各ショップ９に設置され、契約手続実行機としての役割を果たすクライアント端末であり、情報管理サーバー３にアクセスすることにより、情報管理サーバー３によって、ＩＤカード確認アプリケーションの設定情報や制御通知を受信したり、契約に関する契約情報や本人確認記録情報などのデータを送信する機能を備えている。
【００２９】
具体的に、タブレット端末２は、無線通信を利用してデータ通信が可能なタブレットＰＣであり、一般的なＷｉｆｉルーター４等の中継点と無線で通信し、通話やデータ通信等の通信サービスを移動しつつ受けることができる。また、タブレット端末２は、Ｗｉｆｉルーター４との間で無線通信を行う機能と、アプリケーションを実行する機能も備えている。
【００３０】
この携帯電話機の通信方式としては、例えば、ＷＣＤＭＡ（登録商標）及びＣＤＭＡ２０００などの第３世代（３Ｇ）の通信方式、ＬＴＥなどの第４世代（４Ｇ）の通信方式、及び第５世代（５Ｇ）以降の通信方式等の他、Ｗｉｆｉ（登録商標）、Ｂｌｕｅｔｏｏｔｈ（登録商標）などの無線通信ネットワーク等が挙げられる。また、上述した通信方式とは別の無線通信インターフェースとして、無線ＬＡＮの規格等に準じたＩＰパケットの送受による通信方式に対応した機能も備えている。さらに、このタブレット端末２は、デジタルカメラ機能やＧＰＳ機能等の機能が搭載されている。
【００３１】
このタブレット端末２上で実行されるＩＤカード確認アプリケーションは、情報管理サーバー３から、設定情報や制御通知を受信することにより、遠隔的に、情報管理サーバー３により制御され、このタブレット端末２上で実行された契約手続で入力されたデータを保存・管理し、収集された契約データや本人確認記録データなどを情報管理サーバー３に送信する。
【００３２】
読取装置１は、タブレット端末２側において、本人確認書類であるＩＤカード１００内のＩＣチップ１００ｂを読み取るリーダライタ装置である。この読取装置１としては、接触式、又は非接触式の方式があり、接触式の装置には、ＩＣチップ等が搭載されたカードや磁気カードなどをスロットに挿入する挿入式の装置や、スリットの上から下へ通すスライド式の装置などがあり、非接触式の装置には、ＩＣチップ搭載のカードの内部にアンテナを持ち、外部のリーダライタ装置が発信する弱い電波を利用してデータを送受信する装置などがある。
【００３３】
なお、本実施形態においては、読取装置１はタブレット端末２と外部接続された構成としたが、本発明はこれに限定されるものではなく、本人確認記録データを読み取れればよく、例えば、タブレット端末２に読取装置１が内蔵された構成としてもよい。
【００３４】
ＩＤカード１００は、顧客ＣＰが所有する本人確認書類としてのＩＣカード等の記録媒体であり、本実施形態においては、免許証、在留カードなどのカード式の記録媒体である。このカードには、図１に示すように、例えば、顔写真１００ａや、ＩＣチップ１００ｂを有しており、このＩＣチップ１００ｂには、顧客ＣＰの個人情報、券面を撮影した画像、及びアプリケーションＩＤが記録されている。なお、本実施形態において、ＩＤカード１００は、カード式の記録媒体としたが、これに限定されるものではなく、顧客ＣＰの本人確認記録データが記録され、携帯することができればよく、例えば、ＩＣチップを内蔵した携帯電話等であってもよい。
【００３５】
（各装置の内部構造）
次いで、上述したＩＤカード確認システムを構成する各装置の内部構造について説明する。図２は、本実施形態に係るＩＤカード確認システムを構成する読取装置１、及びタブレット端末２の内部構成を示すブロック図であり、図４は、本実施形態に係る情報管理サーバー３の内部構成を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３６】
（１）タブレット端末２及び読取装置１
読取装置１は、タブレット端末２と有線又は無線によって接続された装置であり、メモリチップに記録された情報を読み出す情報読出手段である。具体的に読取装置１は、図２に示すように、識別情報取得部１０１と、出力インターフェース１０２とを備えている。識別情報取得部１０１は、ＩＤカード１００に記録された情報を読取って取得するモジュールであり、通常の記憶領域に記録された本人確認データの他、書き込み不可領域に記録されたアプリケーションＩＤを含む本人確認データを読み取り、これらの取得された情報をタブレット端末２へ転送する。出力インターフェース１０２は、取得した識別情報をタブレット端末２へ送出するモジュールである。本実施形態において、読取装置１とタブレット端末２との接続方法としては、例えば、ＵＳＢケーブルを介した接続や、Bluetooth（登録商標）などの無線通信を用いてもよい。
【００３７】
また、タブレット端末２は、図２に示すように、ユーザーインターフェース系のモジュールとして入力インターフェース２１と、出力インターフェース２２とを備えている。入力インターフェース２１は、操作ボタンやタッチパネル、ジョグダイヤルなどユーザー操作を入力するデバイスであり、本実施形態においては、読取装置１の出力インターフェース１０２から入力された情報を取得する機能も備えている。また、入力インターフェース２１には、ＣＣＤカメラ等の撮影部１０３が接続されており、撮影した静止画や動画が入力インターフェース２１を通じてタブレット端末２で取得されている。
【００３８】
出力インターフェース２２は、ディスプレイやスピーカーなど、映像や音響を出力するデバイスである。特に、この出力インターフェース２２には、液晶ディスプレイなどの表示部２２ａが含まれており、アプリケーションにより構築されるＧＵＩ（Graphical User Interface）がこの表示部２２ａに表示される。
【００３９】
なお、タブレット端末２は、位置情報取得部が備えられており、自機の現在位置が測定可能となっている。この位置情報取得部は、例えば、ＧＰＳ衛星からのＧＰＳ信号に基づいて、現在位置の座標を演算したり、接続処理部２７が確立した通信相手である基地局の基地局識別子や、この基地局からの信号強度などの電波状況から、タブレット端末２自身で自機の位置情報を取得することが可能となっている。
【００４０】
また、タブレット端末２は、通信系のモジュールとして無線インターフェース２６と、接続処理部２７とを備えている。無線インターフェース２６は、通話やデータ通信を行うための移動通信用のプロトコルによる無線通信機能と、例えば無線ＬＡＮ等のデータ通信用のプロトコルによる無線通信機能とを備えている。なお、この無線インターフェースは、モバイルコンピューターやＰＤＡにおいては、無線ＬＡＮアダプタ等により実現することができる。
【００４１】
本実施形態では、アクセスポイントであるＷｉｆｉルーター４と、クライアントであるタブレット端末２の双方で同じ識別子が設定される。そして、この識別子を通じて、Ｗｉｆｉルーター４で、自機の無線通信範囲に存在するユーザー端末を検出し、自動的にリンクを設定して、無線ＬＡＮのホットスポットを形成し、データ通信が可能となる。
【００４２】
接続処理部２７は、Ｗｉｆｉルーター４と無線通信を介して接続するためのモジュールであり、自機を特定するための識別子（電話番号や、ＩＰアドレス、ユーザーＩＤ）を接続対象となるＷｉｆｉルーター４に送信し、認証を行う。なお、接続処理部２７は、Ｗｉｆｉルーター４との間で無線ＬＡＮ接続を行う場合には、データの送受信を行うためのリンクを形成するために、無線信号を監視し、Ｗｉｆｉルーター４を識別する識別子を検出するようにしてもよい。
【００４３】
さらに、タブレット端末２は、アプリケーション実行系のモジュールとして、制御部２５と、メモリ２４とを備えている。
メモリ２４は、各種データを保存するための記憶装置であり、不揮発性のメモリ装置や、ハードディスク等により実現することができる。なお、このメモリ２４は、タブレット端末２内に固定内蔵されたものでもよく、また、メモリカードのように着脱自在のもの、或いは、ＵＳＢケーブル等で接続される外部記憶装置であってもよい。このメモリ２４には、本人確認記録データ２４ａとカード情報データ２４ｂとが格納される。
【００４４】
本人確認記録データ２４ａは、入力された本人確認データを契約データと紐付けて記録する記憶装置である。カード情報データ２４ｂは、各種ＩＤカードの種別を示す識別子であるアプリケーションＩＤと、当該ＩＤカードの種別に関する情報とを関連付けて記憶するカード情報蓄積手段である。
【００４５】
制御部２５は、ＣＰＵ等の演算処理装置であり、この制御部２５上で各種プログラムを実行することにより、各機能モジュールを仮想的に構築する。この制御部２５には、アプリケーション実行系のモジュールとして、情報管理部２５ａと、情報検索部２５ｂと、画像解析部２５ｃと、記録部２５ｄとが構築される。
【００４６】
情報管理部２５ａは、入力インターフェース２１や画像解析部２５ｃによって取得された情報を、表示部２２ａに出力したり、記録部２５ｄを通じてメモリ２４に記録するモジュールである。また、情報管理部２５ａは、本人確認データの正当性を判断する処理に際し、必要な情報を情報検索部２５ｂを通じて必要な情報を取得し、読取装置１による読み出し結果、画像解析部２５ｃによる解析結果、又は情報検索部２５ｂによる検索結果を出力する出力手段としての機能も果たす。
【００４７】
情報管理部２５ａは、読取装置１によって読み出された、ＩＤカードのメモリチップに記録されたチップ内画像情報を表示出力する機能も備えている。また、情報管理部２５ａは、撮影部１０３によって撮影されたＩＤカードの表面の画像を出力する機能も備え、さらに、読取装置１によって読み出されたチップ内画像情報と、撮影部１０３が撮影した実画像情報とを対比可能に表示出力する機能も備えている。
【００４８】
情報検索部２５ｂは、情報読出手段が読み出したアプリケーションＩＤに基づいて、カード情報蓄積手段を参照し、当該ＩＤカードの種別を検索する検索手段であり、検索されたＩＤカードの種別は、情報管理部２５ａに入力される。入力されたＩＤカードの種別に関する情報は、情報管理部２５ａにおける本人確認データの正当性を判断する処理に用いられる。
【００４９】
画像解析部２５ｃは、撮影部１０３が撮影した実画像情報を解析し、実画像情報からＩＤカードに関する情報を抽出するモジュールであり、例えば実画像情報に画像として含まれる文字をテキストデータや文字コードに変換するＯＣＲ（Optical Character Recognition/Reader）等で実現される。
【００５０】
記録部２５ｄは、取得された本人確認記録データをメモリ２４内に記録するモジュールである。なお、本人確認記録データ２４ａに記録される情報には、ＩＤカード内から読み出されたチップ内画像情報、撮影部１０３が撮影した実画像情報、画像解析部２５ｃによって抽出された情報も含まれる。
【００５１】
（２）情報管理サーバー３
情報管理サーバー３は、図３に示すように、通信系のモジュールとして、通信部３０２と、接続処理部３０１と、情報更新部３０３とを備えるとともに、ユーザー管理系のモジュールとして制御部３１０を備えている。また、この制御部３１０には、各種データを記録する記憶部３２０が接続されている。
【００５２】
通信部３０２は、パケットデータを送受信することにより各種データを通信ネットワーク７に対して送受信する通信デバイスである。本実施形態では、この通信部３０２は、Ｗｅｂページをインターネット上に配信するＷｅｂサーバー機能や電子メール受信機能を備えており、ＨＴＴＰやＳＭＴＰ等のプロトコルにより、タブレット端末２からのＷｅｂサイトへのアクセスや、移動端末との電子メールの送受信を実行し、これらのプロトコルを通じて契約情報や本人確認記録データを取得することができる。接続処理部３０１は、各基地局が管轄する所定エリア内に在圏するタブレット端末２との無線通信を確立させるモジュールである。
【００５３】
記憶部３２０は、ＩＤカード確認システムに関する情報を蓄積するデータベースであり、本実施形態においては、手続用のタブレットとして配布された各端末に関する登録情報を保持する端末管理ＤＢ３２０ａと、各代理店に関する情報を保持する代理店管理ＤＢ３２０ｂと、各端末で締結された契約情報を保持する契約情報管理ＤＢ３２０ｃとを備えている。
【００５４】
端末管理ＤＢ３２０ａは、各端末を識別する端末識別番号に、配布先となる代理店のコード、使用者（担当者）の連絡番号、メールアドレス等を関連付けて記憶する記憶装置である。代理店管理ＤＢ３２０ｂは、各代理店を識別する端末識別番号に、代理店のコード、住所、連絡番号、所属従業員等を関連付けて記憶する記憶装置である。契約情報管理ＤＢ３２０ｃは、締結された契約に関する情報として、契約者を識別する契約者識別子に、契約者の氏名、住所、連絡先、本人確認記録データ、契約内容等を紐付けて記憶する記憶装置である。
【００５５】
制御部３１０は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、所定のプログラムを適宜読み込んで実行することにより種々の機能モジュールを仮想的に構築し、構築された各機能モジュールによって、各部の動作制御、ユーザー操作に対する種々の処理を行っている。本実施形態において、制御部３１０は、契約情報登録部３１１と、認証処理部３１３と、情報管理部３１２とを備えている。
【００５６】
認証処理部３１３は、各タブレット端末２で業務用アプリケーションを起動した際に、端末識別情報、及び使用者のログイン情報を取得し、端末識別情報やログイン情報に基づいて、認証処理を実行するモジュールである。具体的に認証処理部３１３は、アクセス者の正当性を検証するコンピューター或いはその機能を持ったソフトウェアであり、通信ネットワーク７を通じて従業者識別情報を取得し、端末管理ＤＢ３２０ａを照合することによって、アクセス者にその権利があるか否か、或いはそのアクセス者が本人であるか否かなどを確認する。そして、認証処理部３１３は、認証結果情報を情報管理部３１２へ送信する。なお、認証処理部３１３に、認証処理に際し、地図情報を参照して、タブレット端末２から取得した位置情報データと照合し、タブレット端末２の現在位置が所定の範囲内に属するか否かを判断する機能を設けてもよい。
【００５７】
契約情報登録部３１１は、締結された契約情報の登録を受け付け、契約情報管理ＤＢ３２０ｃに記録するモジュールである。ここで、契約情報登録部３１１は、契約情報登録の際に、契約情報を特定する契約情報管理識別子に関連付けて本人確認記録データを登録し、契約内容、契約者に関する情報、契約手続を担当した販売員、その販売員が所属する代理店、使用した端末ＩＤ等を登録する。
【００５８】
情報管理部３１２は、通信ネットワーク７を通じて各タブレット端末２に蓄積されている情報を管理するモジュールである。具体的に、情報管理部３１２は、各タブレット端末２にインストールされているアプリケーションのバージョンや、メモリ内に蓄積されている各種データを、情報更新部３０３を通じて更新する。また、情報管理部３１２は、定期的にタブレット端末２にアクセスし、オフライン時に蓄積された契約情報や本人確認記録データの契約情報登録部３１１ヘのアップロードを指示したりする。
【００５９】
（ＩＤカード確認方法）
以上の構成を有するＩＤカード確認システムを動作させることによって、ＩＤカード確認方法を実施することができる。図４は、本実施形態に係るＩＤカード確認方法を示すフローチャート図である。なお、本実施形態においては、予め、ショップ９に読取装置１が接続されたタブレット端末２が設置されているものとする。
【００６０】
先ず、ショップ９の販売員ＳＰが、販売契約に際し、顧客ＣＰが提示した本人確認書類の種別を目視し、目視で判断された種別を、入力インターフェース２１を通じて入力するとともに（Ｓ１０１）、券面の撮影及びその撮影した画像の解析を行い、券面に標記された文字列等を抽出する（Ｓ１０２）。そして、ステップＳ１０１における入力に基づいて、本人確認書類がＩＣチップを備えるべき種別あるか否かを判断する（Ｓ１０３）。ステップＳ１０３で、本人確認書類がＩＣチップを搭載する種別でない場合には（Ｓ１０３における「Ｎ」）、目視による確認のみによって、本人確認記録データを手動によって入力することによって、記録する（Ｓ１１２）。
【００６１】
ステップＳ１０３で本人確認書類がＩＣチップを搭載する種別である場合には（Ｓ１０３における「Ｙ」）、その本人確認書類であるＩＤカード１００を読取装置１に読み取らせることで、識別情報取得部１０１にＩＣカード内の情報を読み出させる（Ｓ１０４）。
【００６２】
そして、ステップＳ１０４での読み出しに際し、ＩＣチップの反応があるか否かを判断する（Ｓ１０５）。このステップＳ１０５でＩＣチップの反応がなければ（ステップＳ１０５の「Ｎ」）、ＩＣチップを搭載していない台紙に券面を貼り付けた偽造ＩＤカードである可能性が高いため、図５に示すような、その旨のエラーメッセージを表示部２２ａに表示するといったエラー処理Ｓ１１３を実行する。
【００６３】
一方、ステップＳ１０５でＩＣチップの反応があれば（ステップＳ１０５の「Ｙ」）、次いで、アプリケーションＩＤが存在するか否かを判断する（Ｓ１０６）。このステップＳ１０６でアプリケーションＩＤが読み出せない、或いはＮｕｌｌ値であるなど、アプリケーションＩＤが存在なければ（ステップＳ１０６の「Ｎ」）、不適当なＩＣチップを搭載している偽造ＩＤカードである可能性が高いため、その旨のエラー処理Ｓ１１３を実行する。
【００６４】
また、ステップＳ１０６でアプリケーションＩＤが存在するときには（ステップＳ１０６の「Ｙ」）、次いで、アプリケーションＩＤが、目視によって判別された種別と一致するか否かを判断する（Ｓ１０７）。このステップＳ１０７でアプリケーションＩＤが目視によって判別された種類と一致しない場合には（ステップＳ１０７の「Ｎ」）、異なる種類のＩＣチップを搭載した台紙に、異なる種別の券面を貼り付けた偽造ＩＤカードである可能性が高いため、その旨のエラー処理Ｓ１１３を実行する。
【００６５】
ステップＳ１０７でアプリケーションＩＤが目視によって判別された種類と一致するときには（ステップＳ１０７の「Ｙ」）、ＩＣチップ内部に格納された情報を読み出すためにパスワードが必要か否かを判断する（Ｓ１０８）。この判断は、メモリ２４の各データベースを参照して読み出すべきデータの内容とその際に必要なパスワードの種別を確認する。なお、パスワードの入力が不要であるときには（Ｓ１０８の「Ｎ」）、そのままＩＣカード内の情報及び、ＩＣカード内に格納されている券面画像を読み出す（Ｓ１１０）。
【００６６】
ステップＳ１０８で、パスワードが必要と判断されたときには（ステップＳ１０８の「Ｙ」）、販売員ＳＰが顧客ＣＰに対してパスワードの入力を口頭で求める。この求めに対して顧客ＣＰがパスワードを失念したり、パスワードの入力を拒否したりした場合には（ステップＳ１０９の「Ｎ」）、ステップＳ１１１に移行する。ステップＳ１０９で顧客ＣＰがパスワードの入力に応じた場合には（ステップＳ１０９の「Ｙ」）、ＩＣカード内の情報や、ＩＣメモリ内に記憶された券面画像を読み出し（Ｓ１１０）、情報管理部２５ａが、読取装置１によって読み出されたチップ内画像情報と、撮影部１０３が撮影した実画像情報とを対比可能に表示出力する。このチップ内券面画像と撮影券面画像との対比に際しては、例えば、画像解析により同一性の判定を行ってもよい。
【００６７】
そして、チップ内券面画像と撮影券面画像とが一致しない場合には（ステップＳ１１１の「Ｎ」）、他人のＩＤカードの券面を貼り替えた偽造ＩＤカードである可能性が高いため、その旨のエラー処理Ｓ１１３を実行する。また、チップ内券面画像と撮影券面画像とが一致する場合には（ステップＳ１１１の「Ｙ」）、ＩＣカード内から取得されたテキストデータや券面画像を、本人確認記録データとしてそのまま入力することによって記録する（Ｓ１１２）。
【００６８】
（作用・効果）
このような本実施形態によれば、券面の確認に加えて、アプリケーションＩＤという新たな判断材料を提供することにより、運転免許証や在留カード等のＩＣメモリを有するＩＤカードの偽造を、より確実に且つより迅速に偽造を判別することができ、データ改ざん偽造免許等による架空契約を未然に防ぐことができる。また、法令で義務づけられた本人確認記録の作成・保存作業及びそのチェック作業について、省力化・効率化を図ることができる。
【００６９】
詳述すると、本実施形態では、ＩＤカード１００のＩＣチップ１００ｂに記録された、アプリケーションＩＤを読み出し、カード情報データ２４ｂを参照してそのＩＤカード１００の種別を確認する。このアプリケーションＩＤは、ＩＤカードの製造時にＩＣチップに書き込まれる情報であり、ＩＣカードの種別毎に厳重に管理されて、ＩＣチップの書換ができない領域に記録されていることから改ざんが困難である。そのため、偽造したＩＣカードにＩＣチップが搭載されていない場合にはアプリケーションＩＤが読み込み不可となり、ＩＣチップを搭載していたとしても、その値がnull値となっていたり、違った値が記録されていたりすれば、そのカードが偽造されたものであることを瞬時に判断することができる。
【００７０】
また、上記実施形態では、ＩＤカードのメモリチップに記録されたチップ内画像情報を表示したり、実際の券面を撮影した実画像情報と比較することにより、印面偽造を判別することができる。
【００７１】
さらに、本実施形態では、本人確認記録データ２４ａにＩＤカード１００に関する情報として、ＩＤカードから読み出したテキストデータや、撮影された画像から抽出されたデータを記録することにより、本人確認記録データを自動的に取り込んで反映させることができ、データ入力作業の省力化を図ることができるとともに、誤入力も防止できる。
【００７２】
なお、本発明は、上記した各実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００７３】
ＣＰ…顧客
ＳＰ…販売員
１…読取装置
２…タブレット端末
３…情報管理サーバー
４…Ｗｉｆｉルーター
６…中継装置
７…通信ネットワーク
９…ショップ
２１…入力インターフェース
２２…出力インターフェース
２２ａ…表示部
２４…メモリ
２４ａ…本人確認記録データ
２４ｂ…カード情報データ
２５…制御部
２５ａ…情報管理部
２５ｂ…情報検索部
２５ｃ…画像解析部
２５ｄ…記録部
２６…無線インターフェース
２７…接続処理部
１００…ＩＤカード
１００ａ…顔写真
１００ｂ…ＩＣチップ
１０１…識別情報取得部
１０２…出力インターフェース
１０３…撮影部
３０１…接続処理部
３０２…通信部
３０３…情報更新部
３１０…制御部
３１１…契約情報登録部
３１２…情報管理部
３１３…認証処理部
３２０…記憶部
３２０ａ…端末管理ＤＢ
３２０ｂ…代理店管理ＤＢ
３２０ｃ…契約情報管理ＤＢ
【図１】
2018151957.tif 000003
【図２】
2018151957.tif 000004
【図３】
2018151957.tif 000005
【図４】
2018151957.tif 000006
【図５】
2018151957.tif 000007
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
メモリチップを内蔵したＩＤカードの正当性を確認するＩＤカード確認システムであって、
ＩＤカードのメモリチップに記録される当該ＩＤカードの種別を示す識別子であるアプリケーションＩＤと、当該ＩＤカードの種別に関する情報とを関連付けて記憶するカード情報蓄積手段と、
前記メモリチップに記録された当該ＩＤカードの種別を示すアプリケーションＩＤを読み出す情報読出手段と、
情報読出手段が読み出したアプリケーションＩＤに基づいて、前記カード情報蓄積手段を参照し、当該ＩＤカードの種別を検索する検索手段と、
前記情報読出手段による読み出し結果、又は前記検索手段による検索結果を出力する出力手段と
を備えたことを特徴とするＩＤカード確認システム。
【請求項２】
前記情報読出手段は、前記ＩＤカードのメモリチップに記録された画像情報を読み出し、
前記出力手段は、前記読み出された前記画像情報を表示出力する
ことを特徴とする請求項１に記載のＩＤカード確認システム。
【請求項３】
前記ＩＤカードの表面を撮影する撮影手段をさらに備え、
前記出力手段は、前記読み出された前記画像情報と、前記撮影手段が撮影した画像とを対比可能に表示出力する機能を有する
ことを特徴とする請求項２に記載のＩＤカード確認システム。
【請求項４】
前記ＩＤカードの表面を撮影する撮影手段と、
前記ＩＤカードに関する情報を記録する記録手段と、
前記撮影手段が撮影した画像を解析し、撮影された画像から前記ＩＤカードに関する情報を抽出する画像解析手段と
をさらに備え、
前記記録手段に記録される前記ＩＤカードに関する情報には、前記画像解析手段によって抽出された情報が含まれる
ことを特徴とする請求項１に記載のＩＤカード確認システム。
【請求項５】
メモリチップを内蔵したＩＤカードの正当性を確認するＩＤカード確認プログラムであって、コンピューターを、
ＩＤカードのメモリチップに記録される当該ＩＤカードの種別を示す識別子であるアプリケーションＩＤと、当該ＩＤカードの種別に関する情報とを関連付けて記憶するカード情報蓄積手段と、
前記メモリチップに記録された当該ＩＤカードの種別を示すアプリケーションＩＤを読み出す情報読出手段と、
情報読出手段が読み出したアプリケーションＩＤに基づいて、前記カード情報蓄積手段を参照し、当該ＩＤカードの種別を検索する検索部と、
前記情報読出手段による読み出し結果、又は前記検索部による検索結果を出力する出力手段として
機能させることを特徴とするＩＤカード確認プログラム。
【請求項６】
メモリチップを内蔵したＩＤカードの正当性を確認するＩＤカード確認方法であって、
ＩＤカードのメモリチップに記録される当該ＩＤカードの種別を示す識別子であるアプリケーションＩＤと、当該ＩＤカードの種別に関する情報とを関連付けてカード情報蓄積手段に記憶するステップと、
前記メモリチップに記録された当該ＩＤカードの種別を示すアプリケーションＩＤを情報読出手段が読み出すステップと、
情報読出手段が読み出したアプリケーションＩＤに基づいて、検索部が、前記カード情報蓄積手段を参照し、当該ＩＤカードの種別を検索するステップと、
前記情報読出手段による読み出し結果、又は前記検索部による検索結果を出力手段が出力するステップと
を含むことを特徴とするＩＤカード確認方法。